(57)【要約】      （修正有）【課題】適正な位置にてペットに排泄させるように、飼い主がペットに対して飽きることなく楽しく容易に躾を施すことを可能にする。【解決手段】ペット用排泄用具１の表面にペットＰの排泄領域を示す躾用図柄１１が描かれている。この躾用図柄１１は、ペットＰに与えるご褒美の内容が当該ペットＰの排泄場所に応じて異なることを確認可能な表示を含んでいる。【選択図】図１
0003135651.tif 000002
【実用新案登録請求の範囲】
【請求項１】
排泄物吸収体またはその上側に配置されるカバーにペットの排泄領域を示す躾用図柄が描かれ、
この躾用図柄は、ペットに与えるご褒美の内容が当該ペットの排泄場所に応じて異なることを確認可能な表示を含むことを特徴とするペット用排泄用具。
【請求項２】
前記躾用図柄は、複数の領域に区画されていることを特徴とする請求項１に記載のペット用排泄用具。
【請求項３】
前記躾用図柄は、升目によって前記複数の領域に区画されていることを特徴とする請求項２に記載のペット用排泄用具。
【請求項４】
前記複数の領域内に、数字が付されていることを特徴とする請求項２または３に記載のペット用排泄用具。
【請求項５】
前記数字は、ご褒美の量を示す表示であることを特徴とする請求項４に記載のペット用排泄用具。
【請求項６】
前記ご褒美の量は、一排泄毎に与えるご褒美の回数であることを特徴とする請求項５に記載のペット用排泄用具。
【請求項７】
前記数字は、複数に区画された前記領域のうち所定の領域に最高値が設定されていると共に、前記所定の領域に近づくに従い次第に数値が高くなるように設定されていることを特徴とする請求項４から６のいずれか１項に記載のペット用排泄用具。
【請求項８】
前記所定の領域は、前記排泄物吸収体または前記カバーの中央部よりも外縁側に配置されていることを特徴とする請求項７に記載のペット用排泄用具。
【請求項９】
前記排泄物吸収体または前記カバーが平面視長方形状をなしており、
前記所定の領域は、前記排泄物吸収体または前記カバーの中央部よりも短辺側に配置されていることを特徴とする請求項７または８に記載のペット用排泄用具。
【請求項１０】
前記排泄物吸収体または前記カバーが平面視長方形状をなしており、
前記所定の領域は、前記排泄物吸収体または前記カバーの中央部よりも長辺側に配置されていることを特徴とする請求項７または８に記載のペット用排泄用具。
【請求項１１】
前記躾用図柄は、前記ペットに前記ご褒美を与える位置を表示するためのご褒美領域を有することを特徴とする請求項１から１０のいずれか１項に記載のペット用排泄用具。
【請求項１２】
ケージ本体と、前記ケージ本体内の床面に配設されたペット用排泄用具と、備えたペット用ケージであって、
前記ペット用排泄用具として請求項９に記載のペット用排泄用具が用いられると共に、その短辺側が前記ケージ本体の一側面に沿うように配設されていることを特徴とするペット用ケージ。
【請求項１３】
ケージ本体と、前記ケージ本体内の床面に配設されたペット用排泄用具と、備えたペット用ケージであって、
前記ペット用排泄用具として請求項１０に記載のペット用排泄用具が用いられると共に、その長辺側が前記ケージ本体の一側面に沿うように配設されていることを特徴とするペット用ケージ。
【請求項１４】
ケージ本体と、前記ケージ本体内の床面に配設されたペット用排泄用具と、備えたペット用ケージであって、
前記ペット用排泄用具として請求項１から１１のいずれか１項に記載のペット用排泄用具が用いられると共に、その外形が前記ケージ本体の平面形状と同一形状とされていることを特徴とするペット用ケージ。
【請求項１５】
ペット用シーツが配設されるトレー本体と、前記トレー本体の外縁部に嵌合して当該トレー本体と共に前記ペット用シーツを狭持するフレームと、を備えたペット用躾トレーに対して、前記フレームの上方から該フレームの内周側に着脱可能に嵌め込まれるシーツ破れ防止カバーであって、
ペットの尿および所定サイズの糞を通過させるための貫通部が複数形成されてなるメッシュ部を備え、
前記メッシュ部には、ペットの排泄領域を示す躾用図柄が描かれ、
前記躾用図柄は、ペットに与えるご褒美の内容が当該ペットの排泄場所に応じて異なることを確認可能な表示を含むシーツ破れ防止カバー。
【考案の詳細な説明】
【技術分野】
【０００１】
本考案は、例えば、犬などのペットを飼う際に用いられるペット用ケージ、該ケージ内に配設して用いられるペット用排泄用具、及びシーツ破れ防止カバーに関する。
【背景技術】
【０００２】
一般に、例えば、犬などのペットを飼育する際には、排泄物の処理の容易化を図るべく、ペット用シーツがケージ内に配設される。このペット用シーツとしては、尿などの排泄物を吸収して凝集し、外部への漏れを阻止するとともに、排泄物から発生する悪臭を抑えるもの（例えば、例えば、特許文献１、２参照）、あるいは配設した状態にて床面とのずれやめくれを抑えるために、裏面における周囲に粘着テープを貼付したものがある（例えば、特許文献３参照）。
【特許文献１】特開平８−２４３１２１号公報
【特許文献２】特開２００３−１５８９３０号公報
【特許文献３】特開２０００−２６２１７２号公報
【考案の開示】
【考案が解決しようとする課題】
【０００３】
前記のように、ペット用シーツとしては、吸収性の向上、悪臭の軽減あるいは配設後のずれ防止などの観点から開発されたものがある。しかし、これらペット用シーツを単にケージ内に配設したとしても、必ずしもペットはケージ内に配設したシーツ上にて排泄せず、シーツから外れた床面に排泄することもある。
【０００４】
また、ケージ内の床面の全面にシーツを配設したとしても、シーツの外縁部にてペットが排泄した場合には、シーツの縁から流れ落ちてケージや床面を汚してしまうこともある。このため、ペットの飼い主は、シーツ上における適正な位置にて排泄させるようにペットに対して躾を行わなければならない。
【０００５】
ところが、このペットの躾は、長期にわたって根気良く行う必要があるため、ペットが完全に躾けられる前に、飼い主が躾を諦めてしまったり、躾に飽きてしまうことがある。また、ペットが成長に伴って大きくなると、ペット自身はシーツの中央部で排泄しているつもりでも、実際には、シーツの中央部から外れた外縁部にて排泄してしまうことがあり、この場合もケージや床面を汚してしまう。
【０００６】
本考案は、前記事情に鑑みてなされたもので、適正な位置にてペットに排泄させるように、飼い主がペットに対して飽きることなく楽しく容易に躾を施すことが可能なペット用排泄用具、ペット用ケージ、及びシーツ破れ防止カバーを提供することを目的としている。
【課題を解決するための手段】
【０００７】
前記目的を達成するために、本考案のペット用排泄用具は、排泄物吸収体またはその上側に配置されるカバーにペットの排泄領域を示す躾用図柄が描かれ、この躾用図柄は、ペットに与えるご褒美の内容が当該ペットの排泄場所に応じて異なることを確認可能な表示を含むことを特徴とする。
【０００８】
この構成のペット用排泄用具によれば、ペットが糞や尿を排泄した際に、飼い主が排泄場所に基づいてご褒美の内容（例えば、ご褒美の種類や質、一排泄毎に与えるご褒美の量、一排泄毎に与えるご褒美の回数）を確認することができる。そして、飼い主がペットの排泄場所に応じた内容のご褒美をペットに与えると、ペットは排泄場所に応じてご褒美の内容が異なることを学習し、より充実した内容（例えば、より多くの量、より多くの回数）のご褒美が貰える適正な場所にて排泄するようになる。
【０００９】
その一方で、飼い主は、ペットの躾に対してゲーム感覚の面白さを感じることができると共に、より充実した内容のご褒美をもらって喜ぶペットの様子を見て、自身も喜びを感じることになる。したがって、飼い主は、その喜ぶペットの様子を再現すべく、ペットに対する排泄場所の躾を、飽きることなく楽しく容易に継続することができる。
【００１０】
なお、本発明（ペット用排泄用具、ペット用ゲージ、シーツ破れ防止カバー）における「ご褒美の内容」とは、物理的な物に限定されるわけではない。例えば、飼い主がペットに向けて発する声（例えば、褒め言葉）の大小や高低を変えたり、飼い主がペットに向けて行うゼスチャー（例えば、撫でる動作）やその大小を変えたりするものでもよい。
【００１１】
また、本発明（ペット用排泄用具、ペット用ゲージ、シーツ破れ防止カバー）における「ご褒美をペットに与える」とは、ご褒美をペットに完全に渡して（あげて）しまうことだけを意味するのにとどまらず、渡す素振りだけをして完全には渡さないことも含むものとする。例えば、ご褒美がおやつである場合には、飼い主がおやつを手で持ったまま離さずに（おやつを完全に預けずに）ペットに舐めさせるだけにして、食べさせないことが含まれるものとする。
【００１２】
前記躾用図柄は、複数の領域に区画されていてもよく、例えば升目によって前記複数の領域に区画されていてもよい。
【００１３】
この構成によれば、ペットが排泄した場所を領域毎あるいは升目毎に容易に確認することができる。
【００１４】
前記複数の領域内に、数字が付されていてもよい。また、この数字は、ご褒美の量を示す表示であってもよい。さらに、このご褒美の量は、一排泄毎に与えるご褒美の回数であっても良い。
【００１５】
以上の構成によれば、ペットの排泄場所に応じたご褒美の量（例えば、回数）を一目で確認することができる。特に、犬等のペットを躾ける場合であって、ご褒美がおやつ等の食べ物であるときには、少量ずつ多数回に分けて与える方が、１回で全てを与えてしまうよりも、学習効果は大きい。よって、領域内に付されている数字は、ご褒美の回数であることがより好ましい。
【００１６】
前記数字は、複数に区画された前記領域のうち所定の領域に最高値が設定されていると共に、前記所定の領域に近づくに従い次第に数値が高くなるように設定されていても良い。
【００１７】
この構成によれば、糞や尿等の排泄物の処理等の点から排泄場所として好ましい部分にて排泄させるようにペットを躾けることができる。
【００１８】
前記所定の領域は、前記排泄物吸収体または前記カバーの中央部よりも外縁側に配置されていてもよい。例えば、前記排泄物吸収体または前記カバーが平面視長方形状をなしている場合に、前記所定の領域は、前記排泄物吸収体または前記カバーの中央部よりも短辺側あるいは長辺側に配置されていてもよい。
【００１９】
この構成によれば、当該外縁側、短辺側、あるいは長辺側が飼い主から見て壁側等の奥側となるようにペット用排泄用具を配設すれば、排泄場所として、より好ましい奥側にて排泄させるようにペットを躾けることができる。
【００２０】
前記躾用図柄は、前記ペットに前記ご褒美を与える位置を表示するためのご褒美領域を有していても良い。
【００２１】
この構成によれば、ペットにご褒美の貰える場所を学習させることができる。これにより、飼い主の立ち位置から見てペットが奥の方（飼い主の立ち位置から見て飼い主とは反対側）で排泄するように当該ペットに対する意識付けを行うことが可能となり、成長に伴いペットの体格が大きくなった場合でも、ペット用排泄用具からはみ出した所に排泄することを予防することができる。
【００２２】
本考案のペット用ケージは、ケージ本体と、前記ケージ本体内の床面に配設されたペット用排泄用具と、備えたペット用ケージであって、前記ペット用排泄用具として前記排泄物吸収体または前記カバーが平面視長方形をなしているペット用排泄用具が用いられると共に、その短辺側あるいは長辺側が前記ケージ本体の一側面に沿うように配設されている。
【００２３】
この構成によれば、排泄物吸収体または前記カバーの短辺側あるいは長辺側が飼い主から見て壁側等の奥側となるように、排泄物吸収体または前記カバーをケージ本体内に配設すれば、排泄場所として、より好ましい奥側にて排泄させるようにペットを躾けることができる。
【００２４】
本考案のペット用ケージは、ケージ本体と、前記ケージ本体内の床面に配設されたペット用排泄用具と、備えたペット用ケージであって、前記ペット用排泄用具として前記いずれかに記載のペット用排泄用具が用いられると共に、その外形が前記ケージ本体の平面形状と同一形状とされている。
【００２５】
この構成によれば、ケージ本体内の床面に合わせてペット用排泄用具を隙間無く配設することができるので、躾の特に初期段階におけるケージや床面の排泄物による汚れの発生を有効に回避することが可能となり、また、配設作業の容易化を図ることができる。
【００２６】
本考案のシーツ破れ防止カバーは、ペット用シーツが配設されるトレー本体と、前記トレー本体の外縁部に嵌合して当該トレー本体と共に前記ペット用シーツを狭持するフレームと、を備えたペット用躾トレーに対して、前記フレームの上方から該フレームの内周側に着脱可能に嵌め込まれるシーツ破れ防止カバーであって、ペットの尿および所定サイズの糞を通過させるための貫通部が複数形成されてなるメッシュ部を備え、前記メッシュ部には、ペットの排泄領域を示す躾用図柄が描かれ、前記躾用図柄は、ペットに与えるご褒美の内容が当該ペットの排泄場所に応じて異なることを確認可能な表示を含む。
【考案の効果】
【００２７】
本考案によれば、適正な位置にてペットに排泄させるように、飼い主がペットに対して飽きることなく楽しく容易に躾を施すことができる。
【考案を実施するための最良の形態】
【００２８】
以下、本考案に係るペット用排泄用具、ペット用ケージ、及びシーツ破れ防止カバーの実施形態について図面を参照して説明する。
【００２９】
（第１実施形態）
図１は第１実施形態に係るペット用シーツの使用状態を示す斜視図、図２はペット用シーツの平面図である。
【００３０】
図１及び図２に示すように、ペット用シーツ（ペット用排泄用具）１は、犬などのペットＰが入れられたケージ２内における床面に配設されて使用される。ケージ２は、平面視長方形状に形成された縦長形状とされており、例えば、リビング等の部屋の隅における奥側の壁部３に、ペットＰを囲繞するケージ本体の一方の短辺側の側面を沿わせるように設置されている。
【００３１】
ペット用シーツ１も、ケージ本体の平面視形状に対応する平面視長方形状に形成された縦長形状をしており、その長辺をケージ２の長辺部分に沿わせ、また、短辺をケージ２の短辺に沿わせることにより、本実施形態ではケージ２内の床面の全面を覆うように配置されている。もちろん、ペット用シーツ１は、ケージ２内の床面の一部のみを覆うように配置されていてもよい。
【００３２】
ペット用シーツ１は、表面が透水性を有し、裏面が防水性を有するシート（カバー）を備え、これらのシートの間に、吸水材、凝固材及び消臭材のうち少なくとも１つを含むマット（排泄物吸収体）が設けられてなる。
【００３３】
また、このペット用シーツ１には、その表面（シート（カバー）の表面）に、躾用図柄１１が描かれている。本実施形態の躾用図柄１１は、当該図柄を複数の領域に区画する複数の升目１２を有している。また、この躾用図柄１１には、シーツ平面視での幾何学的中心を含む中央部における若干奥側（外縁側）に、小さな升目１３が設けられ、さらに、これら升目１３の奥側に、ハッチングで示された升目１４が設けられている。
【００３４】
ここで、奥側の短辺の中央部分を除く周囲の升目１２は、数字「１」が付された排泄領域Ａ１とされ、奥側の短辺の中央部分の升目１２及び中心部分の升目１２は、数字「２」が付された排泄領域Ａ２とされ、さらに、中央部における若干奥側の小さな升目１３は、数字「３」が付された排泄領域Ａ３とされている。また、ハッチングで示された升目１４は、ご褒美領域ＡＧとされている。
【００３５】
次に、このペット用シーツ１を用いたペットＰへの躾の仕方について説明する。飼い主は、ペットＰがケージ２内におけるペット用シーツ１上にて排泄するように躾を行う際に、ペットＰが躾用図柄１１におけるどの排泄領域Ａ１〜Ａ３にて排泄を行ったかを確認し、その排泄領域Ａ１〜Ａ３に付された数字の回数だけペットＰにご褒美としておやつをあげる。
【００３６】
例えば、ペットＰが排泄領域Ａ１にて排泄をした場合には、飼い主は、排泄領域Ａ１に付された数字「１」を確認し、ご褒美としてその数字と同数の１つのおやつをご褒美領域ＡＧに置く、あるいはご褒美領域ＡＧの上方にかざして、ペットＰにあげる。
【００３７】
また、ペットＰが排泄領域Ａ２にて排泄をした場合には、飼い主は、排泄領域Ａ２に付された数字「２」を確認し、ご褒美としてその数字と同数の２つのおやつを２回に分けてご褒美領域ＡＧに置く、あるいはご褒美領域ＡＧの上方にかざして、ペットＰにあげる。
【００３８】
さらに、ペットＰが排泄領域Ａ３にて排泄をした場合には、飼い主は、排泄領域Ａ３に付された数字「３」を確認し、ご褒美としてその数字と同数の３つのおやつを３回に分けてご褒美領域ＡＧに置く、あるいはご褒美領域ＡＧの上方にかざして、ペットＰにあげる。
【００３９】
なお、ペットＰが排泄領域Ａ１〜Ａ３のいずれでもない躾用図柄１１から外れた領域で排泄を行った場合は、ペットＰにご褒美のおやつを舐めさせるだけにする等、おやつをあげる振りだけして食べさせない。これにより、ペット用シーツ１外で排泄したのでは、おやつを舐めることはできても食べさせては貰えないことをペットＰに学習させることが可能となり、結果的に、ペット用シーツ１外で排泄してはいけないことをペットＰに学習させる効果を高めることができる。
【００４０】
また、ペットＰがペット用シーツ１外に排泄してしまった場合であっても、飼い主の立ち位置から見てペット用シーツ１の奥側（反対側）に外れているときには、ペットＰにご褒美のおやつを全くあげないのではなく、おやつを舐めさせるだけにして食べさせないようにしてもよい。このようにすれば、飼い主の立ち位置から見て奥の方（飼い主の立ち位置から見て飼い主とは反対側）で排泄するように、ペットに対して意識付けを行うことが可能となる。
【００４１】
以上のようにしてペット用シーツ１を用いてペットＰに躾を施すと、ペットＰは、排泄領域Ａ１〜Ａ３にて排泄することによって、ご褒美としておやつが貰えることを学習する。さらに、排泄領域Ａ１〜Ａ３内でも、当該ペット用シーツ１の中央側あるいは中央よりもやや奥側であれば、より多くのご褒美が貰えることを学習する。
【００４２】
したがって、前記の躾を繰り返すことにより、ペットＰは、ペット用シーツ１の中央側あるいは中央よりもやや奥側にて排泄をするように躾られる。これにより、ペットＰが排泄領域Ａ１〜Ａ３から外れたところに排泄した場合における、排泄物の外縁から外部への漏れ出しを抑えることができる。
【００４３】
このように、前記第１実施形態に係るペット用シーツ１によれば、ペットＰが排泄した際に、飼い主が排泄場所に基づいてご褒美の内容（本実施形態では、一排泄毎におやつを与える回数）を確認することができる。したがって、飼い主がペットＰの排泄場所に応じた回数のご褒美をペットＰに与えることにより、ペットＰが排泄場所に応じてご褒美の数が異なることを学習し、より多くのご褒美が貰える適正な場所にて排泄するようになる。
【００４４】
このように、飼い主は、ペットＰの躾に対してゲーム感覚の面白さを感じることができると共に、より多くのおやつをもらって喜ぶペットＰの様子を見て、自身も喜びを感じることになる。したがって、飼い主は、その喜ぶペットの様子を再現すべく、ペットＰに対する排泄場所の躾を、飽きることなく楽しく容易に継続することができる。
【００４５】
また、本実施形態では、躾用図柄１１が、複数の升目１２，１３からなるので、ペットＰが排泄した場所を升目１２，１３毎に容易に確認することができ、さらに、升目１２，１３内に付された数字から、ペットＰの排泄場所に応じたご褒美の数量（ご褒美を与える回数）を一目で確認することができる。
【００４６】
また、升目１２，１３に付した数字は、複数に区画された排泄領域Ａ１〜Ａ３のうちペット用シーツ１の中央部よりも奥側の排泄領域Ａ３に最高値が設定されていると共に、この排泄領域Ａ３に近づくに従い次第に数値が高くなるように設定されているので、排泄物の処理等の点から排泄場所として好ましい中央部分の奥側にて排泄させるようにペットＰを躾けることができる。これにより、ペット用シーツ１の外縁部から外部へと排泄物が漏れ出すなどの不具合を抑えることができる。
【００４７】
また、本実施形態のペット用シーツ１は、複数に区画された排泄領域Ａ１〜Ａ３に加えて、ご褒美をペットＰに与える位置を表示するためのご褒美領域ＡＧを有しているので、ペットＰにご褒美の貰える場所を学習させることができる。
【００４８】
さらに、本実施形態のペット用シーツ１は、ペットＰを入れるケージ２の平面形状と同一形状とされ、ケージ２内の床面に配設されるものであるので、ケージ２の床面に合わせて隙間無くペット用シーツ１を配設することができる。これにより、躾の特に初期段階におけるケージ２や床面の排泄物による汚れの発生を有効に回避することが可能となり、また、配設作業の容易化を図ることができる。
【００４９】
なお、前記の例では、部屋の壁に沿って配設したが、部屋の隅に角部を合わせて配設しても良い。
【００５０】
（第２実施形態）
図３は第２実施形態に係るペット用シーツの使用状態を示す斜視図、図４はペット用シーツの平面図である。
【００５１】
図３及び図４に示すように、このペット用シーツ２１が配設されるケージ２２は、平面視長方形状に形成された横長形状とされており、例えば、リビング等の部屋の隅における奥側の壁部２３に一方の長辺を沿わせるように設置されている。ペット用シーツ２１も、平面視長方形状に形成された横長形状をしており、その長辺をケージ２２の長辺部分に沿わせ、また、短辺をケージ２２の短辺に沿わせることにより、ケージ２２内の床面の全面を覆うように配置されている。
【００５２】
本実施形態のペット用シーツ（ペット用排泄用具）２１も、表面が透水性を有し、裏面が防水性を有するシート（カバー）を備え、これらのシートの間に、吸水材、凝固材及び消臭材のうち少なくとも１つを含むマット（排泄物吸収体）が設けられてなる。
【００５３】
また、このペット用シーツ２１にも、その表面（シート（カバー）の表面）に躾用図柄３１が描かれており、この躾用図柄３１は、当該図柄を複数の領域に区画する複数の升目３２を有している。また、この躾用図柄３１には、シーツ平面視での幾何学的中心を含む中央部に、小さな升目３３が設けられ、さらに、これら升目３３の奥側に、ハッチングで示された升目３４が設けられている。
【００５４】
ここで、奥側の長辺の中央部分を除く周囲の升目３２は、数字「１」が付された排泄領域Ａ１とされ、奥側の長辺の中央部分の升目３２及び中心部分の升目３２は、数字「２」が付された排泄領域Ａ２とされ、さらに、中央部の小さな升目３３は、数字「３」が付された排泄領域Ａ３とされている。また、ハッチングで示された升目３４は、ご褒美領域ＡＧとされている。
【００５５】
本実施形態のペット用シーツ２１を用いてペットＰに躾を施すと、前記第１実施形態に係るペット用シーツ１を用いた場合と同様に、ペットＰは、排泄領域Ａ１〜Ａ３にて排泄することによって、ご褒美としておやつが貰えることを学習する。さらに、排泄領域Ａ１〜Ａ３内でも、当該ペット用シーツ２１の中央側あるいは中央よりもやや奥側であれば、より多くのご褒美が貰えることを学習する。
【００５６】
したがって、前記の躾を繰り返すことにより、ペットＰは、ペット用シーツ２１の中央側あるいは中央よりもやや奥側にて排泄をするように躾られる。これにより、ペットＰが排泄領域Ａ１〜Ａ３から外れたところに排泄した場合における、排泄物の外縁から外部への漏れ出しを抑えることができる。
【００５７】
このように、本実施形態に係るペット用シーツ２１によっても、ペットＰが排泄した際に、飼い主が排泄場所に基づいてご褒美の内容（本実施形態では、一排泄毎におやつを与える回数）を確認することができるので、飼い主がペットＰの排泄場所に応じた回数のご褒美をペットＰに与えることにより、ペットＰが排泄場所に応じてご褒美の数が異なることを学習し、より多くのご褒美が貰える適正な場所にて排泄するようになる。
【００５８】
また、飼い主は、ペットＰの躾に対してゲーム感覚の面白さを感じることができると共に、より多くのおやつをもらって喜ぶペットＰの様子を見て、自身も喜びを感じることになるので、その喜ぶペットの様子を再現すべく、ペットＰに対する排泄場所の躾を、飽きることなく楽しく容易に継続することになる。
【００５９】
前記第１、第２実施形態では、いずれも平面視長方形状のペット用シーツ１，２１を例にとって説明したが、平面視の形状は長方形に限定されることなく、例えば、正方形あるいは円形などであっても良い。
【００６０】
（第３実施形態）
図５は第３実施形態に係るペット用躾トレーの分解斜視図、図６は図５に示すペット用躾トレーの斜視図である。
【００６１】
図５及び図６に示すように、このペット用躾トレー（ペット用排泄用具）５０は、トレー本体５４と、このトレー本体５４の外縁部全周にわたって形成された凸状部５４ａに着脱可能に凹凸嵌合するフレーム５１と、これらトレー本体５４とフレーム５１との間に挟持される排泄物吸収体５２と、を備えてなる。さらに、排泄物吸収体５２は、透水性を有するカバー５２ａと、吸水材と凝固材と消臭材のうち少なくとも１つを備えたマット（排泄物吸収体）５２ｂと、が上下方向にこの順に積層されてなる。
【００６２】
本実施形態では、このカバー５２ａの表面に前記第２実施形態と同様の躾用図柄３１が描かれており、この躾用図柄３１は、当該図柄を複数の領域に区画する複数の升目３２を有している。また、この躾用図柄３１には、シーツ平面視での幾何学的中心を含む中央部に、小さな升目３３が設けられ、さらに、これら升目３３の奥側に、ハッチングで示された升目３４が設けられている。
【００６３】
そして、奥側の長辺の中央部分を除く周囲の升目３２は、数字「１」が付された排泄領域Ａ１とされ、奥側の長辺の中央部分の升目３２及び中心部分の升目３２は、数字「２」が付された排泄領域Ａ２とされ、さらに、中央部の小さな升目３３は、数字「３」が付された排泄領域Ａ３とされている。また、ハッチングで示された升目３４は、ご褒美領域ＡＧとされている。
【００６４】
このペット用躾トレー５０を用いてペットＰに躾を施しても、前記第１及び第２実施形態に係るペット用シーツ１，２１を用いた場合と同様に、ペットＰは、排泄領域Ａ１〜Ａ３にて排泄することによって、ご褒美としておやつが貰えることを学習する。さらに、排泄領域Ａ１〜Ａ３内でも、当該ペット用躾トレー５０の中央側あるいは中央よりもやや奥側であれば、より多くのご褒美が貰えることを学習する。
【００６５】
したがって、前記の躾を繰り返すことにより、ペットＰは、ペット用躾トレー５０の中央側あるいは中央よりもやや奥側にて排泄をするように躾られる。これにより、ペットＰが排泄領域Ａ１〜Ａ３から外れたところに排泄した場合における、排泄物の外縁から外部への漏れ出しを抑えることができる。
【００６６】
このように、本実施形態に係るペット用躾トレー５０によっても、ペットＰが排泄した際に、飼い主が排泄場所に基づいてご褒美の内容を確認することができるので、飼い主がペットＰの排泄場所に応じた回数のご褒美をペットＰに与えることにより、ペットＰが排泄場所に応じてご褒美の数が異なることを学習し、より多くのご褒美が貰える適正な場所にて排泄するようになる。
【００６７】
また、飼い主は、ペットＰの躾に対してゲーム感覚の面白さを感じることができると共に、より多くのおやつをもらって喜ぶペットＰの様子を見て、自身も喜びを感じることになるので、その喜ぶペットの様子を再現すべく、ペットＰに対する排泄場所の躾を、飽きることなく楽しく容易に継続することになる。
【００６８】
なお、本実施形態のペット用躾トレー５０では、排泄物吸収体５２がカバー５２ａとマット５２ｂとを備えた構成であることを前提にして説明したが、カバー５２ａを備えないマット５２ｂのみの構成であってもよく、かかる構成の場合には、マット５２ａが排泄物吸収体本体となってこれに躾用図柄３１が描かれることになる。また、カバー５２ａとマット５２ｂとを備えた構成であっても、躾用図柄３１がマット５２ｂに描かれていてもよい。
【００６９】
（第４実施形態）
図７は第４実施形態に係るペット用躾トレーの斜視図、図８は図７に示すペット用躾トレーの斜視図である。
【００７０】
図７及び図８に示すように、このペット用躾トレー（ペット用排泄用具）６０は、トレー本体５４と、このトレー本体５４の外縁部全周にわたって形成された凸状部に凹凸嵌合するフレーム（カバー止め）５１と、フレーム５１の上方から該フレーム５１の内周側に着脱可能に嵌め込まれる例えば樹脂製のシーツ破れ防止カバー（カバー）６２と、を備えて構成される。
【００７１】
このシーツ破れ防止カバー６２は、外枠部６２ａを除く部分に、ペットＰの尿および所定サイズの糞を通過させるための貫通部が複数形成されてなるメッシュ部６２ｂを備えた構成とされている。そして、このペット用躾トレー６０は、トレー本体５４とフレーム５１との間に排泄物吸収体を含むペット用シーツ等（図示略）を挟持した後に、更にその上方からシーツ破れ防止カバー６２を嵌め込んだ状態にて、トイレとしての使用に供される。
【００７２】
本実施形態では、シーツ破れ防止カバー６２の表面に前記第２実施形態と同様の躾用図柄３１が描かれている。この躾用図柄３１は、当該図柄を複数の領域に区画する複数の升目３２を有している。また、この躾用図柄３１には、シーツ平面視での幾何学的中心を含む中央部に、小さな升目３３が設けられ、さらに、これら升目３３の奥側に、ハッチングで示された升目３４が設けられている。
【００７３】
そして、奥側の長辺の中央部分を除く周囲の升目３２は、数字「１」が付された排泄領域Ａ１とされ、奥側の長辺の中央部分の升目３２及び中心部分の升目３２は、数字「２」が付された排泄領域Ａ２とされ、さらに、中央部の小さな升目３３は、数字「３」が付された排泄領域Ａ３とされている。また、ハッチングで示された升目３４は、ご褒美領域ＡＧとされている。
【００７４】
このペット用躾トレー６０を用いてペットＰに躾を施しても、前記第１乃至第３実施形態に係るペット用シーツ１，２１及びペット用躾トレー５０を用いた場合と同様に、ペットＰは、排泄領域Ａ１〜Ａ３にて排泄することによって、ご褒美としておやつが貰えることを学習する。さらに、排泄領域Ａ１〜Ａ３内でも、当該ペット用躾トレー５０の中央側あるいは中央よりもやや奥側であれば、より多くのご褒美が貰えることを学習する。
【００７５】
したがって、前記の躾を繰り返すことにより、ペットＰは、ペット用躾トレー５０の中央側あるいは中央よりもやや奥側にて排泄をするように躾られる。これにより、ペットＰが排泄領域Ａ１〜Ａ３から外れたところに排泄した場合における、排泄物の外縁から外部への漏れ出しを抑えることができる。
【００７６】
このように、本実施形態に係るペット用躾トレー６０によっても、ペットＰが排泄した際に、飼い主が排泄場所に基づいてご褒美の内容を確認することができるので、飼い主がペットＰの排泄場所に応じた回数のご褒美をペットＰに与えることにより、ペットＰが排泄場所に応じてご褒美の数が異なることを学習し、より多くのご褒美が貰える適正な場所にて排泄するようになる。
【００７７】
また、飼い主は、ペットＰの躾に対してゲーム感覚の面白さを感じることができると共に、より多くのおやつをもらって喜ぶペットＰの様子を見て、自身も喜びを感じることになるので、その喜ぶペットの様子を再現すべく、ペットＰに対する排泄場所の躾を、飽きることなく楽しく容易に継続することになる。
【００７８】
さらに、本実施形態のペット用躾トレー６０によれば、躾用図柄３１がシーツ破れ防止カバー６２に描かれているので、ペット用シーツ等の排泄物吸収体として、躾用図柄３１の描かれていない、より安価な既製品をそのまま使用することができる。よって、飼い主にとっては、躾の長期化に伴う費用負担の増大を極力抑えることができるという利点がある。
【００７９】
なお、前記躾用図柄１１，３１は、ご褒美をあげる個数、ご褒美の種類等、ご褒美の内容を視認等にて確認できるものであれば、升目に限定されず、また、升目内の表示としては、数字に限らず、記号、文字、絵など、ご褒美の数量が把握できる表示であればいかなるものでも良い。
【図面の簡単な説明】
【００８０】
【図１】本発明の第１実施形態に係るペット用シーツの使用状態を示す斜視図である。
【図２】図１に示すペット用シーツの平面図である。
【図３】本発明の第２実施形態に係るペット用シーツの使用状態を示す斜視図である。
【図４】図３に示すペット用シーツの平面図である。
【図５】本発明の第３実施形態に係るペット用躾トレーの分解斜視図である。
【図６】図５に示すペット用躾トレーの斜視図である。
【図７】本発明の第４実施形態に係るペット用躾トレーの斜視図である。
【図８】図７に示すシーツ押さえ体の平面図である。
【符号の説明】
【００８１】
１，２１…ペット用シーツ（ペット用排泄用具）、２，２２…ケージ、１１，３１…躾用図柄、１２，１３，１４，３２，３３，３４…升目、５０，６０…ペット用躾トレー（ペット用排泄用具）、５２ａ…カバー、５２ｂ…マット（排泄物吸収体）、６２…シーツ破れ防止カバー（カバー）、Ａ１〜Ａ３…排泄領域、ＡＧ…ご褒美領域、Ｐ…ペット。
【図１】
0003135651.tif 000003
【図２】
0003135651.tif 000004
【図３】
0003135651.tif 000005
【図４】
0003135651.tif 000006
【図５】
0003135651.tif 000007
【図６】
0003135651.tif 000008
【図７】
0003135651.tif 000009
【図８】
0003135651.tif 000010
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
排泄物吸収体またはその上側に配置されるカバーにペットの排泄領域を示す躾用図柄が描かれ、
この躾用図柄は、ペットに与えるご褒美の内容が当該ペットの排泄領域に応じて異なることを確認可能な表示がそれぞれに付された複数の領域に区画されてなる図柄であると共に、
前記表示は、前記複数の領域のうち前記排泄物吸収体またはカバーの中央部よりも外縁側に配置された所定の領域では、ペットに与えるご褒美が最も充実した内容であることを確認可能な表示とされ、当該複数の領域のうち前記所定の領域以外の領域では、当該所定の領域に近づくほど前記ご褒美がより充実した内容であることを確認可能な表示とされていることを特徴とするペット用排泄用具。
【請求項２】
排泄物吸収体またはその上側に配置されるカバーにペットの排泄領域を示す躾用図柄が描かれ、
この躾用図柄は、升目によって複数の領域に区画されてなる図柄であると共に、前記複数の領域にはそれぞれ数字が付されており、
前記数字は、前記複数の領域のうち所定の領域には最高値が設定され、当該複数の領域のうち前記所定の領域以外の領域では、当該所定の領域に近づくに従い次第に数値が高くなるように設定されていることを特徴とするペット用排泄用具。
【請求項３】
前記躾用図柄は、升目によって前記複数の領域に区画されていることを特徴とする請求項１に記載のペット用排泄用具。
【請求項４】
前記複数の領域内に、数字が付されていることを特徴とする請求項３に記載のペット用排泄用具。
【請求項５】
前記数字は、ご褒美の量を示す表示であることを特徴とする請求項４に記載のペット用排泄用具。
【請求項６】
前記数字は、ご褒美の量を示す表示であることを特徴とする請求項２に記載のペット用排泄用具。
【請求項７】
前記数字は、複数に区画された前記領域のうち前記所定の領域に最高値が設定されていると共に、当該所定の領域に近づくに従い次第に数値が高くなるように設定されていることを特徴とする請求項４又は５に記載のペット用排泄用具。
【請求項８】
前記ご褒美の量は、一排泄毎に与えるご褒美の回数であることを特徴とする請求項５又は６に記載のペット用排泄用具。
【請求項９】
前記排泄物吸収体または前記カバーが平面視長方形状をなしており、
前記所定の領域は、前記排泄物吸収体または前記カバーの中央部よりも短辺側に配置されていることを特徴とする請求項１から８のいずれか１項に記載のペット用排泄用具。
【請求項１０】
前記排泄物吸収体または前記カバーが平面視長方形状をなしており、
前記所定の領域は、前記排泄物吸収体または前記カバーの中央部よりも長辺側に配置されていることを特徴とする請求項１から８のいずれか１項に記載のペット用排泄用具。
【請求項１１】
前記躾用図柄は、前記ペットに前記ご褒美を与える位置を表示するためのご褒美領域を有することを特徴とする請求項１から１０のいずれか１項に記載のペット用排泄用具。
【請求項１２】
ケージ本体と、前記ケージ本体内の床面に配設されたペット用排泄用具と、備えたペット用ケージであって、
前記ペット用排泄用具として請求項９に記載のペット用排泄用具が用いられると共に、その短辺側が前記ケージ本体の一側面に沿うように配設されていることを特徴とするペット用ケージ。
【請求項１３】
ケージ本体と、前記ケージ本体内の床面に配設されたペット用排泄用具と、備えたペット用ケージであって、
前記ペット用排泄用具として請求項１０に記載のペット用排泄用具が用いられると共に、その長辺側が前記ケージ本体の一側面に沿うように配設されていることを特徴とするペット用ケージ。
【請求項１４】
ケージ本体と、前記ケージ本体内の床面に配設されたペット用排泄用具と、備えたペット用ケージであって、
前記ペット用排泄用具として請求項１から１１のいずれか１項に記載のペット用排泄用具が用いられると共に、その外形が前記ケージ本体の平面形状と同一形状とされていることを特徴とするペット用ケージ。
【請求項１５】
ペット用シーツが配設されるトレー本体と、前記トレー本体の外縁部に嵌合して当該トレー本体と共に前記ペット用シーツを狭持するフレームと、を備えたペット用躾トレーに対して、前記フレームの上方から該フレームの内周側に着脱可能に嵌め込まれるシーツ破れ防止カバーであって、
ペットの尿および所定サイズの糞を通過させるための貫通部が複数形成されてなるメッシュ部を備え、
前記メッシュ部には、ペットの排泄領域を示す躾用図柄が描かれ、
前記躾用図柄は、升目によって複数の領域に区画されてなる図柄であると共に、中央部に設けられた升目のうち所定の升目は周囲の升目よりも小さな升目とされており、これらの升目からペットに与えるご褒美の内容が当該ペットの排泄場所に応じて異なることが確認可能とされていることを特徴とするシーツ破れ防止カバー。
【手続補正書】
【提出日】平成19年7月12日(2007.7.12)
【手続補正１】
【補正対象書類名】実用新案登録請求の範囲
【補正対象項目名】請求項１
【補正方法】変更
【補正の内容】
【請求項１】
排泄物吸収体またはその上側に配置されるカバーにペットの排泄領域を示す躾用図柄が描かれ、
この躾用図柄は、ペットに与えるご褒美の内容が当該ペットの排泄領域に応じて異なることを確認可能な表示がそれぞれに付された複数の領域に区画されてなる図柄であると共に、
前記表示は、前記複数の領域のうち前記排泄物吸収体またはカバーの中央部よりも外縁側に配置された所定の領域では、一排泄毎にペットに与えるご褒美の数量が最も多いことを示す表示とされ、当該複数の領域のうち前記所定の領域以外の領域では、当該所定の領域に近づくほど前記ご褒美の数量がより多くなることを示す表示であることを特徴とするペット用排泄用具。